(57)【要約】      （修正有）【課題】ペットの大きさ応じて、ペットを収容する空間を調節可能とするとともに、ペットを収容して持ち運ぶ以外の用途にも使用可能とするペット用スリングを提供する。【解決手段】所定面積を有するマット状のマット本体１０と、マット本体１０の形状を変化させるとともに、変化させたマット本体１０の形状を維持する形状維持手段３０と、マット本体１０に取り付けられた複数の係止部と、係止部に係止されるストラップ２０とを備える。前記形状維持手段としては、マット本体１０の外縁部分において環状に形成され、紐部材が挿通可能な挿通部と、挿通部に開口された挿通穴と、紐部材を挿通穴から挿通部内に挿通することによって、この紐部材をマット本体１０の外縁部分に環状に配置するとともに、紐部材の両端を括り環状の径を拡縮する巾着部を用いることができる。【選択図】図１
0003167337.tif 000002
【実用新案登録請求の範囲】
【請求項１】
所定面積を有するマット状のマット本体と、
前記マット本体の形状を変化させるとともに、変化させた該マット本体の形状を維持する形状維持手段と、
前記マット本体に取り付けられた複数の係止部と、
前記係止部に係止されるストラップと
を備えることを特徴とするペット用スリング。
【請求項２】
前記形状維持手段は、
前記マット本体の外縁部分において環状に形成され、紐部材が挿通可能な挿通部と、
前記挿通部に開口された挿通穴と、
前記紐部材を挿通穴から前記挿通部内に挿通することによって、この紐部材を前記マット本体の外縁部分に環状に配置するとともに、前記紐部材の両端を括り、前記環状の径を拡縮する巾着部と
を備えることを特徴とする請求項１に記載のペット用スリング。
【請求項３】
前記挿通穴は、少なくとも２ヶ所に設けられ、これら２ヶ所の挿通穴は、前記マット本体の対角線上に配置されていることを特徴とする請求項２に記載のペット用スリング。
【請求項４】
前記ストラップは、少なくとも２本備えられるとともに、各々の長さが調節可能となっており、
前記係止部は、少なくとも４つ備えられ、
前記挿通穴の少なくとも一つは、前記連結部材の位置と一致する箇所に設けられ、
前記２本のストラップを、各々の長さを調節しつつ前記係止部に係止することで、ストラップ同士を平行に配置又は交差させるとともに、前記ストラップの長さに応じて、前記環状の径を拡縮させ、前記マット本体の形状を維持する
ことを特徴とする請求項２又は３に記載のペット用スリング。
【請求項５】
前記形状維持手段は、
相互に嵌合される一対の嵌合部材から構成され、
前記一対の嵌合部材は、マット本体の外縁部分に複数配置され、嵌合する位置に応じて、前記マット本体の形状を変化させる
ことを特徴とする請求項１に記載のペット用スリング。
【請求項６】
前記係止部は、
前記マット本体の縁部において分散配置され、前記マット本体にその一端が固定されたベルト部材と、
前記ベルト部材の他端部分において、前記ストラップを連結するための連結部材と
から構成されていることを特徴とする請求項１乃至５のいずれかに記載のペット用スリング。
【請求項７】
前記係止部は、前記マット本体の中央から外方へ向けて放射状に配置され、前記連結部材が、前記マット本体の外方に向くように、前記一端を前記マット本体の内方において固定され、
前記ベルト部材は、前記連結部材が前記マット本体の外縁内に位置するように、長さが調整されている
ことを特徴とする請求項６に記載のペット用スリング。
【考案の詳細な説明】
【技術分野】
【０００１】
本考案は、犬や猫などのペットを収容し運搬するペット用スリングに関する。
【背景技術】
【０００２】
従来より、犬や猫などのペットを収容して運搬するペット用スリングについては、種々のタイプが開発されており、例えば特許文献１に開示されたようなものがある。この特許文献１に開示されたペット用スリングは、全体に環状に形成されたシート環状体を備えており、このシート環状体が、内側環状シートとこの内側環状シートの外周を取り囲むように配置された外側環状シートとから構成され、この内側環状シートと外側環状シートとの間のスペースに小動物収容スペースが形成され、このスペースに小動物を収容した状態で運搬することができるようになっている。
【先行技術文献】
【特許文献】
【０００３】
【特許文献１】実用新案登録３１３７９１５号公報
【考案の概要】
【考案が解決しようとする課題】
【０００４】
しかしながら、上記特許文献１に開示されたペット用スリングは、袋状の形体となっているために、ペットを内部に収容して持ち運ぶためにだけ使用することしかできず、ペット用の簡易ベッドやマットレスのような他の用途で使用することができないという問題がある。
【０００５】
そこで、本考案は、上記のような問題を解決するものであり、ペット用の簡易ベッドやマットレスのように、ペットを収容して持ち運ぶ以外の用途にも用いることができる多機能なペット用スリングを提供することを目的とする。
【課題を解決するための手段】
【０００６】
上記課題を解決するために、本考案のペット用スリングは、
所定面積を有するマット状のマット本体と、
前記マット本体の形状を変化させるとともに、変化させた該マット本体の形状を維持する形状維持手段と、
前記マット本体に取り付けられた複数の係止部と、
前記係止部に係止されるストラップと
を備えることを特徴とする。
【０００７】
本考案において、前記形状維持手段は、
前記マット本体の外縁部分において環状に形成され、紐部材が挿通可能な挿通部と、
前記挿通部に開口された挿通穴と、
前記紐部材を挿通穴から前記挿通部内に挿通することによって、この紐部材を前記マット本体の外縁部分に環状に配置するとともに、前記紐部材の両端を括り、前記環状の径を拡縮する巾着部と
から構成することができる。
【０００８】
また、本考案において、前記形状維持手段は、
相互に嵌合される一対の嵌合部材から構成され、
前記一対の嵌合部材は、マット本体の外縁部分に複数配置され、嵌合する位置に応じて、前記マット本体の形状を変化させるようにしてもよい。
【０００９】
このような本考案によれば、マット本体の外縁部分において環状に形成された挿通部内に紐部材を挿通し、この紐部材をマット本体の外縁部分に環状に配置させて、紐部材の両端を括り、環状の径を拡縮させたり、マット本体の外縁部分に複数配置された嵌合部材によって、嵌合する位置に応じて前記マット本体の形状を変化させることができるので、ペットの大きさに応じてペットを収容する内部の空間を調節させることができる。
【００１０】
また、本考案は、形状維持手段を解除することにより、マット本体をシート状とし、敷物として使用することもできるので、本考案を、ペットを収容して持ち運ぶ以外の用途にも用いることができる。
【考案の効果】
【００１１】
以上述べたように、この考案によれば、犬や猫などのペットに用いるペット用スリングにおいて、ペットの大きさ応じて、ペットを収容する空間を調節可能とするとともに、ペット用の簡易ベッドやマットレスのように、ペットを収容して持ち運ぶ以外の用途にも用いることができる。
【図面の簡単な説明】
【００１２】
【図１】第１実施形態に係るペット用スリングの全体構成を示す上面図である。
【図２】（ａ）は、第１実施形態に係るマット本体の裏面を示す上面図であり、（ｂ）は実施形態に係るマット本体の表面を示す上面図である。
【図３】（ａ）は、第１実施形態に係るストラップを示す上面図であり、（ｂ）は、実施形態に係るストッパの斜視図であり、（ｃ）は、ストラップの連結部材としてのバックルを示す平面図である。
【図４】第１実施形態に係るマット本体と係止するストラップの配置を上面より示す説明図である。
【図５】第１実施形態に係るペット用スリングの使用状態を示す説明図である。
【図６】第１実施形態に係るペット用スリングの使用状態を示す説明図である。
【図７】第１実施形態に係るペット用スリングの使用状態を示す説明図である。
【図８】第１実施形態に係る函体の展開図を示す上面図である。
【図９】第２実施形態に係るマット本体に備えられた留め具の位置を示す上面図であり、同図（ｂ）は、第２実施形態に係る形状維持手段によりマット本体を袋状に形成させた状態を示す斜視図である。
【図１０】（ａ）及び（ｂ）は、第２実施形態に係る形状維持手段によりマット本体を袋状に形成させた状態を示す斜視図である。
【図１１】第３実施形態に係るマット本体に備えられた留め具の位置を示す上面図である。
【図１２】（ａ）、及び（ｂ）は、第３実施形態に係るマット本体１０の立体形状を示す斜視図である。
【考案を実施するための形態】
【００１３】
［第１実施形態］
（ペット用スリングの構成）
以下に添付図面を参照して、本考案に係るペット用スリングの実施形態を詳細に説明する。図１は、本実施形態に係るペット用スリング１の全体構成を示す外観図であり、図２は、本実施形態に係るペット用スリング１のマット本体１０を示す上面図である。
【００１４】
本実施形態において、図１に示すように、ペット用スリング１は、マット本体１０と、マット本体１０と着脱可能に係止されるストラップ２０とから概略構成されている。
【００１５】
本実施形態において、マット本体１０は、図２に示すように、所定面積を有するマット状の部材であり、例えば、布、革、又は合成樹脂製などのシートによって略矩形状に形成され、綿やスポンジ等の断熱材を封入して所定の厚みを有している。なお、本実施形態では、マット本体１０を袋状に形成させる際に、外側に向けられ、使用時に人の身体や、地面等に接する面を表面１０ｂとし、内側に向けられ、ペット５の身体が接する面を裏面１０ａとするものとする。
【００１６】
このマット本体１０には、マット本体１０の形状を変化させるとともに、変化させたマット本体１０の形状を維持する形状維持手段３０を備えている。本実施形態において、形状維持手段３０は、挿通部３１と、挿通穴３２と、巾着部３３とを備えている。
【００１７】
挿通部３１は、外縁部分において環状に形成され、紐部材３４が挿通可能な空間部分であり、例えば、布、生地、又は合成樹脂製などのシートを２枚重ね合わせ、シートの側端部分を縫い合わせることで内部に空間部分を構成させ、この空間部分に紐部材３４を挿通させるようになっている。
【００１８】
そして、この挿通部３１には、開口された挿通穴３２，３２が設けられている。本実施形態では、挿通穴３２，３２は、図２（ａ）に示すように、少なくとも２ヶ所に設けられ、これら２ヶ所の挿通穴３２，３２は、マット本体１０の対角線上の隅部分にそれぞれ位置するようになっている。そして、各挿通穴３２，３２から挿通部３１内に紐部材３４を挿通させることによって、この紐部材３４をマット本体１０の外縁部分に環状に配置するようになっている。なお、この挿通穴３２，３２は、マット本体１０の裏面１０ａ側に形成されている。
【００１９】
紐部材３４は、布、革、又は合成樹脂等の素材で形成された紐状の織物であって、所定の長さを有しており、図２（ａ）に示すように、挿通部３１内を挿通するとともに、挿通部３１に配置された紐部材３４，３４の端部分が、各挿通穴３２，３２から外部に延出するようになっている。
【００２０】
なお、この紐部材３４，３４の端部分は、紐部材３４，３４を纏めて括り、その固定位置を変位・固定するストッパ３４ａが取り付けられている。このストッパ３４ａは、環状をなす紐部材の径を変化させるために、一対の紐部材３４，３４を一括して把持・固定するものであり、本実施形態では、図３（ｂ）に示すように、貫通孔３４２が貫通するように形成された筒状体３４０を有し、つまみ３４１を押圧することにより貫通孔３４２が開き、紐部材３４，３４を挿通できるようになっている。また、ストッパ３４ａは、押圧力を開放することで、内部のバネやスプリングの弾性力で貫通孔３４２が閉止され、貫通穴３４２に挿通された紐部材３４，３４を把持するようになっている。なお、ここでは、このストッパ３４ａとしては、スプリングの弾性力により把持状態が維持される形式を採用したが、紐部材の長さを調節できる手段であれば、他の方式を用いることもできる。
【００２１】
そして、本実施形態では、マット本体１０には、図１に示すように、紐部材３４の両端３４ａ，３４ａを括ることで、環状の径が拡縮される巾着部３３が形成されており、この巾着部３３を収縮させることで、袋状のマット本体１０の上部開口を拡縮させるようになっている。
【００２２】
また、マット本体１０は、図２（ａ）に示すように、裏面１０ａ上の略中央部分において、ペット５の飛び出しを防止するための連結部材１４を備えている。この連結部材１４は、所定の長さを有したベルト部材１４ｂの一端がマット本体１０と連接しており、他端部分にペット５の首輪部分と連結するフック部１４ａが備えられている。このフック部１４ａをペット５の首輪のリング等に係止させることで、袋状に形成されたペット用スリング１の内部に収容されたペット５が飛び出すことを防止するようになっている。なお、本実施形態において、この連結部材１４は、マット本体１０と着脱可能とすることもできる。
【００２３】
マット本体１０の表面１０ｂには、マット本体１０に取り付けられた複数の係止部１５が設けられている。本実施形態において、係止部１５は、図２（ｂ）に示すように、少なくとも４つ備えられ、マット本体１０の縁部において分散配置されている。そして、各係止部１５は、マット本体１０にその一端が固定されたベルト部材１５ａと、ベルト部材１５ａの他端部分において、ストラップ２０を連結するための連結部材であるリング部材１５ｂとから構成されている。
【００２４】
特に、本実施形態において、この係止部１５は、図２（ｂ）に示すように、それぞれの係止部１５が、マット本体１０の中央から外方へ向けて放射状に配置されている。そして、リング部材１５ｂは、マット本体１０の外方に向くように、一端をマット本体１０の内方において固定され、ベルト部材１５ａは、リング部材１５ｂがマット本体１０の外縁内に位置するように、長さが調整されている。
【００２５】
また、本実施形態では、挿通穴３２の少なくとも一つは、リング部材１５ｂの位置と一致する箇所に設けられている。このリング部材１５ｂは、形状の丸い丸カン、若しくはＤ字状のＤカン、三角形の三角カン等の留め具であり、金属又はプラスチック素材などの一定の強度を有する素材から形成されている。また、ベルト部材１５ａは、布、革、又は合成樹脂等の素材から形成されたベルト部材である。
【００２６】
さらに、マット本体１０の表面１０ｂには、ポケット１６が備えられている。このポケット１６は、図１に示すように、マット本体１０を袋状に形成させた際、開口部分が上部方向に向くように配置されている。
【００２７】
ストラップ２０は、図３（ａ）に示すように、布や合成樹脂等で構成されたベルト部材２１の両端に、金属製部材、又はプラスチック製の部材からなる止め具２２，２２を備えた提げ紐部材である。本実施形態において、止め具２２とリング部材１５ｂとで係止部材を構成するとともに、ストラップ２０は、少なくとも２本備えられおり、それぞれのストラップ２０の止め具２２，２２をリング部材１５ｂに係止させ、マット本体１０を吊り上げることで、図１に示すように、平面状であったマット本体１０を袋状に形成させ、ペット５を収容する内部空間１９を構成させる。
【００２８】
なお、このマット本体１０とストラップ２０との係止部材としては、例えば図３（ｃ）に示すような、金属やプラスチック等の弾力を有した素材で構成され相互に嵌合されるバックル１５１とすることもできる。
【００２９】
また、ストラップ２０のベルト部材２１の中間位置には、金属製部材、又はプラスチック製の部材からなる、長さ調節部材２３を備えており、この長さ調節部材２３により、ベルト部材２１の長さが調節可能となっている。そして、ベルト部材２１の長さを調節することにより、係止部１５に対する係止パターンを変化させ、深さや横幅が異なるペット用スリング１を形成させるようになっている。
【００３０】
ここで、ストラップ２０の係止部１５に対する係止パターンについて説明する。図４は、マット本体１０と係止するストラップ２０の配置を上面より示す説明図である。
【００３１】
例えば、図４（ａ）に示すように、２本のストラップ２０の長さを短めに調節しつつ、止め具２２，２２をリング部材１５ｂに係止することで、ストラップ２０同士を平行に配置させる。これにより、深さが浅く、横幅が広い袋状のマット本体１０が形成される。そして、本実施形態では、このストラップ２０の長さに応じて、紐部材３４の両端３４ａ，３４ａを括ることで、環状の径を拡縮させ、深さが浅く、横幅が広い袋状のマット本体１０の形状を維持するようになっている。
【００３２】
一方、図４（ｂ）に示すように、２本のストラップ２０の長さを若干長めに調整しつつ、止め具２２，２２をリング部材１５ｂに係止することで、ストラップ２０同士を交差させる。これにより、深さが深く、横幅が狭いマット本体１０が形成される。そして、本実施形態では、このストラップ２０の長さに応じて、紐部材３４の両端３４ａ，３４ａを括ることで、環状の径を拡縮させ、深さが深く、横幅が狭いマット本体１０の形状を維持するようになっている。
【００３３】
（ペット用スリングの使用態様）
次いで、上述したペット用スリング１の使用態様について説明する。図５、６、及び７は、本実施形態に係るペット用スリングの使用状態を示す説明図である。
【００３４】
例えば、ペット５を運搬する場合には、図５に示すように、マット本体１０とストラップ２０とを係止させ、ストラップ２０の内側にユーザーの肩を通して袈裟懸けさせる。これにより、マット本体１０は、袋状に形成されるので、この袋状のマット本体１０の内部空間１９にペット５を収容させることができ、簡易にペット５を収容し、運搬することができる。なお、この際、紐部材３４の両端にあるストッパ３４ａ，３４ａを緩めたり絞ったりすることで、巾着部３３を拡縮させ、開口部分の大きさを調節可能となっている。これにより、ペット５が収納スペースから脱落してしまうことを防止することができる。
【００３５】
また、ペット５が食事や休憩する場合には、図６に示すように、ストラップ２０を外して、地面に拡げたマット本体１０の上にペット５を置くことで、ペット用スリング１を、マットとして使用することができる。
【００３６】
さらに、ペット５を寝かせる場合には、図７に示すように、マット本体１０を地面に拡げ、紐部材３４の両端にあるストッパ３４ａ，３４ａを若干絞ることで、巾着部３３を収縮させて、側壁面を形成させる。これにより、ペット用スリング１を簡易ベッドとして使用することができる。
【００３７】
なお、本実施形態では、ペット５と接する面を裏面１０ａとし、反対の表面１０ｂ側において、ストラップ２０と係止する係止部１５を備える構成としたのでマットやベッドとして使用した場合でも、この係止部１５がペット５と接触せず、ペット５を傷付けてしまうことを防止できるようになっている。
【００３８】
なお、本実施形態では、マット本体１０は、略矩形状としたが、本考案は、これに限定するものではなく、例えば、楕円状など、種々の形状を用いることができる。また、マット本体１０は、所定の厚さを有するシート部材としたが、本考案は、これに限定するものではなく、例えば、布、生地、又は合成樹脂製などのシートを２枚重ね合わせ、その内部に羽毛やスポンジ等のクッション部材を有する構成としていてもよい。また、マット本体の自立性を高めるため、図８に示すように、函体の展開図のような補強材２４（図中点線で図示）を、マット本体１０の内部に入れてもよい。この補強材２４としては、例えば、折曲可能な合成樹脂や、厚紙、不織布などの板部材の他、針金による骨組みだけの構造としてもよい。また、この補強材２４には、図中一点鎖線で示すような種々の折り目を設けておき、ストラップ２０の係止形態や長さなどに応じて折り目を選択し、マット本体１０を使用状況にあった形状に変形させることが好ましい。
【００３９】
（作用・効果）
このような本実施形態によれば、マット本体１０の外縁部分において環状に形成された挿通部内に紐部材３４を挿通し、この紐部材３４，３４をマット本体１０の外縁部分に環状に配置させて、紐部材３４，３４の両端のストッパ３４ａ，３４ａを緩めたり絞ったりして、環状の径を拡縮させることができるので、ペット５の大きさに応じてペット５を収容する内部の空間を調節させることができる。
【００４０】
また、本実施形態では、紐部材３４，３４を括らず、マット本体１０を平面状とすれば、例えば、移動中の食事時や休憩時において、敷物として使用することができ、また、紐部材３４，３４を少し括り、巾着部３３を収縮させることで、側壁面を形成させることで、簡易ベッドとして使用することができる。このように、本実施形態におけるペット用スリング１は、ペット５を収容して持ち運ぶ以外の用途にも用いることができる。
【００４１】
［第２実施形態］
上述した第１実施形態において、形状維持手段３０は紐部材３４によって巾着部３３を拡縮させてマット本体１０を袋状に形成させたが、本考案は、これに限定するものではなく、マット本体１０の形状を変化させるとともに、変化させたマット本体１０の形状を維持することができればよく、種々の形状維持手段３０を用いることができる。
【００４２】
以下に、形状維持手段３０の他の構成について説明する。図９（ａ）は、第２実施形態に係るマット本体１０に備えられた嵌合部材３００の位置を示す上面図であり、図９（ｂ）は、第２実施形態に係る形状維持手段３０によりマット本体１０を袋状に形成させた状態を示す斜視図である。なお、本実施形態において、上述した実施形態と同一の構成要素には同一の符号を付し、その機能等は特に言及しない限り同一であり、その説明は省略する。
【００４３】
第２実施形態における形状維持手段３０は、ホックや、スナップボタン等の凹部と凸部とを重ね合わせて、嵌め込むことにより連結する一対の嵌合部材３００を用いるものとする。
【００４４】
嵌合部材３００は、図９（ａ）に示すように、凸部３０１と、凹部３０２とが、マット本体１０に係る対向する２辺の縁部分に複数配列され、中央線ＣＬを挟んで対向する部分に凸部３０１と、凹部３０２とがそれぞれ配置されている。そして、中央線ＣＬを挟んで対向する凸部３０１と、凹部３０２とを重ね合わせて嵌め込み、連結させることにより側端部を密閉させる。これにより、図９（ｂ）に示すように、マット本体１０を側部が密閉され、上部が開口した袋状のマット本体１０に変化させるとともに、この袋状のマット本体１０を維持するようになっている。そして、この袋状のマット本体１０の内部空間１９にペットを収容し、運搬する。
【００４５】
なお、本実施形態では、形状維持手段３０として、ホックや、スナップボタン等の嵌合部材３００を用いてマット本体１０を袋状に形成させたが、本考案は、これに限定するものではなく、マット本体１０の外縁部分に配置させる形状維持手段３０としては、例えば、ファスナー、ベルト、又は、マジックテープ（登録商標）を用いることもできる。図１０（ａ）は、第２実施形態に係るファスナー３１１により、マット本体１０を袋状に形成させた状態を示す斜視図であり、（ｂ）は、ベルト部材３２０により、マット本体１０を袋状に形成させた状態を示す斜視図である。
【００４６】
例えば、形状維持手段３０として、ファスナー３１１を用いた場合、図１０（ａ）に示すように、マット本体１０の対向する２辺につなぎ目３１０をそれぞれ設け、マット本体１０を折り曲げた状態で、つなぎ目３１０をファスナー３１１により連結させることで、マット本体１０を袋状に変化させるとともに、その袋状のマット本体１０の形状を維持させる。
【００４７】
また、例えば、形状維持手段３０として、ベルト部材３２０を用いた場合、図１０（ｂ）に示すように、マット本体１０の対向する２辺上の各側部に連結可能なベルト部材３２０ａ，３２０ｂを設ける。このベルト部材３２０ａ，３２０ｂは、所定の長さを有したベルト部材の一端がマット本体１０と連接しており、他端に備えられた留め具（図示せず）により両ベルト部材３２０ａ，３２０ｂを係止させることで連結されるようになっている。そして、マット本体１０を折り曲げた状態で、ベルト部材３２０ａ，３２０ｂを連結させることで、マット本体１０を袋状に変化させるとともに、その袋状のマット本体１０の形状を維持させる。
【００４８】
（作用・効果）
このような本実施形態によれば、嵌合部材３００、ファスナー３１１、及びベルト部材３２０などの形状維持手段３０を連結させることで、側部を密閉させ、上部を開口した袋状のマット本体１０を形成させるので、この袋状の内部空間１９にペットを収容することで、側部からペットが抜け落ちることなく運搬することができる。
【００４９】
［第３実施形態］
上述した第２実施形態では、マット本体１０の対向する２辺に配置された形状維持手段３０を連結させることで、側部が閉止されて上部が開口した袋状のマット本体１０形成させたが、本考案は、これに限定されるものではなく、例えば、形状維持手段３０を、マット本体１０の上部開口を含む縁部分に配置させ、形状維持手段３０を連結する位置によって、マット本体１０を種々の立体形状に形成させてもよい。
【００５０】
図１１は、第３実施形態に係るマット本体１０に備えられた嵌合部材３３０の位置を示す上面図であり、図１２（ａ）、及び（ｂ）は、第３実施形態に係るマット本体１０の立体形状を示す斜視図である。なお、本実施形態にでは、形状維持手段３０としてボタンやスナップ等を用いた場合を例に説明する。また、本実施形態においても、上述した実施形態と同一の構成要素には同一の符号を付し、その機能等は特に言及しない限り同一であり、その説明は省略する。
【００５１】
本実施形態では、図１１に示すように、嵌合部材を構成する凸部３３１（３３１ａ）及び凹部３３２（３３２ａ）がマット本体１０の外周縁に複数配置されている。特に、これら凸部３３１及び凹部３３２は、マット本体１０の各四隅に、中央線ＣＬを挟んで対向するもの同士が嵌合するように配置されている。さらに、本実施形態では、マット本体１０の四隅以外の中間部分に位置する各凸部３３１ａ及び凹部３３２ａは、各対角線ＤＬを挟んで対向するもの同士が嵌合するように配置されている。
【００５２】
このように各凸部３３１（３３１ａ）及び凹部３３２（３３２ａ）が配置されたマット本体１０を用いた場合、例えば、中央線ＣＬを折り目として折り曲げ、それぞれの凸部３３１と、凹部３３２とを重ね合わせて嵌め込み、連結させることで、図１２（ａ）に示すように、マット本体１０の側部及び上部が密閉された立体形状を形成させる。一方、各対角線ＤＬを挟んで対向する凸部３３１ａと、凹部３３２ａとを重ね合わせて嵌め込み、連結させることにより、図１２（ｂ）に示すように、マット本体１０の形状を箱状に形成させる。このとき、マット本体１０内部に、図８に示したような補強材２４を設けておけば、より安定した形状維持を期待することができる。
【００５３】
（作用・効果）
このような本実施形態によれば、嵌合部材３３０などの形状維持手段３０をマット本体１０の外縁部分全体に配置させ、凸部と凹部とを連結させる位置を変更させることで、マット本体１０を種々の立体形状に変化させるので、様々な用途に用いることができる。例えば、公共の場所においては、上部及び側部が密閉された袋状のマット本体１０を形成させ、その内部空間１９にペットを収容させることで、ペットを外部に抜け出すことを防止することができる。また、例えば、ペットを休憩させる場合には、箱状のマット本体１０を形成させることで、簡易ベッドとして用いることができる。
【符号の説明】
【００５４】
ＣＬ…中央線
ＤＬ…対角線
１…ペット用スリング
５…ペット
１０…マット本体
１０ａ…裏面
１０ｂ…表面
１４…連結部材
１４ａ…フック部
１４ｂ…ベルト部材
１５…係止部
１５ａ…ベルト部材
１５ｂ…リング部材
１６…ポケット
１９…内部空間
２０…ストラップ
２１…ベルト部材
２２…止め具
２３…長さ調節部材
２４…補強材
３０…形状維持手段
３１…挿通部
３２…挿通穴
３３…巾着部
３４…紐部材
３００…嵌合部材
３０１…凸部
３０２…凹部
３１０…つなぎ目
３１１…ファスナー
３２０（３２０ａ，３２０ｂ）…ベルト部材
３３０…嵌合部材
３３１，３３１ａ…凸部
３３２，３３２ａ…凹部
３４ａ…ストッパ
３４０…筒状体
３４２…貫通孔
３４２…貫通穴
【図１】
0003167337.tif 000003
【図２】
0003167337.tif 000004
【図３】
0003167337.tif 000005
【図４】
0003167337.tif 000006
【図５】
0003167337.tif 000007
【図６】
0003167337.tif 000008
【図７】
0003167337.tif 000009
【図８】
0003167337.tif 000010
【図９】
0003167337.tif 000011
【図１０】
0003167337.tif 000012
【図１１】
0003167337.tif 000013
【図１２】
0003167337.tif 000014